(57)【要約】１つ又は２つの引手の靴閉鎖配列を使用した、靴を足へ固定するためのシステムである。システムの各実施形態は、靴の外側面と内側面の間を延びている方形化紐配列を使用している。様々な実施形態は、方形化紐配列の辺を引き込み締め付けるために１つ又はそれ以上の方形化紐部分へ接続されている１つ又は２つの引き締めストラップを設けている。第１の実施形態の単一引手ストラップは、横方向の向きから長手方向の向きへ向き直され、長手方向の向きにてストラップは後ろへ引き締められ靴の踵部に固定される。代わりの実施形態は、２つの平行なより短い引き締めストラップを横方向に靴の側面上の固定点へ引っ張る。更なる代わりの実施形態は、引き締めストラップを長手方向に靴の頂部の中心線に沿って方形化紐配列上へ戻る固定点まで引っ張る。【選択図】図１
2019528840.tif 000002
【特許請求の範囲】
【請求項１】
靴の着用者に幅方向と長さ方向を有する前記靴の側面同士を前記靴のアッパーを横断して引き寄せるように単一方向に引っ張らせる単一引手靴閉鎖システムであって、前記靴閉鎖システムは、
前記靴の前記アッパーを横断して少なくとも部分的に閉じられた幾何学配列に配置されている少なくとも１つの長さの引き締め紐であって、前記靴の前記幅方向を横断して延びている少なくとも２つの横部分と、前記靴の前記長手方向の一部に沿って下って当該引き締め紐の前記横部分の間に延びている少なくとも１つの長手部分と、を有している引き締め紐と、
前記少なくとも部分的に閉じられた幾何学配列上の少なくとも２つの点にて前記少なくとも１つの長さの引き締め紐に滑動式に係合している複数の案内点位置決め構造と、
少なくとも横部分及び長手部分を有する引き締めストラップであって、前記横部分は前記靴の前記アッパーを横断して延びており、前記長手部分は前記横部分に対し略直角に前記靴の前記長さに沿って前記靴の踵部の方向に延びている、引き締めストラップと、
前記引き締めストラップの前記横部分の一方の端へ付着されているフック止め金引き締め紐係合部材であって、前記引き締め紐の前記少なくとも１つの長手部分上の少なくとも１つの点にて係合しているフック止め金引き締め紐係合部材と、
前記引き締めストラップの前記横部分と前記長手部分の間の前記角度を達成するために前記引き締めストラップを通して方向決めさせる前記靴の前記側面上の位置に固定されている斜めバックルと、
前記靴の前記踵部上に配置されている付着面であって、前記引き締めストラップの前記長手部分上に配置されている対応する付着面に係合し保持するように配置されている付着面と、を備え、
前記引き締め紐の前記長手部分を引き締め前記付着面同士を固定する行為は、前記引き締めストラップの前記横部分の、前記靴の頂部を横断する引き締めを達成し、それにより前記引き締め紐の前記少なくとも１つの長手部分の、前記靴を横断する引き締めを達成して、前記引き締め紐の前記横部分を締め付け、それにより前記靴の前記２つの側面同士を引き寄せるようにする、システム。
【請求項２】
請求項１に記載のシステムにおいて、
前記引き締めストラップは、前記横部分に対して略直角に前記靴の前記長さに沿って前記靴の踵部の方向に延びている長手部分を更に備えており、
前記システムは、前記引き締めストラップの前記横部分と前記長手部分の間の前記角度を達成するために前記引き締めストラップを通して方向決めさせる前記靴の前記側面上の位置に固定されている斜めバックルを更に備えており、
前記靴上に配置されている付着面は前記靴の踵部上に配置され、前記引き締めストラップ上に配置されている前記対応する付着面は前記引き締めストラップの前記長手部分上に配置されており、
前記引き締め紐の前記長手部分を後ろへ引き締め前記付着面同士を固定する行為は、前記引き締めストラップの前記横部分の、前記靴の頂部を横断する引き締めを達成し、それにより前記引き締め紐の前記少なくとも１つの長手部分の、前記靴を横断する引き締めを達成して、前記引き締め紐の前記横部分を締め付け、それにより前記靴の前記２つの側面同士を引き寄せるようにする、システム。
【請求項３】
請求項１に記載のシステムにおいて、前記少なくとも１つの長さの引き締め紐は、第１端及び第２端を有する単一長さの引き締め紐を備えており、前記第１端は前記靴の前記アッパーの第１の側面上の第１の点へ付着されていて、当該単一長さの引き締め紐は、前記引き締め紐の前記少なくとも２つの横部分のうちの第１の横部分として、前記靴の前記アッパーを横断して、前記複数の案内点位置決め構造のうち前記靴の前記アッパーの第２の側面上に配置されている第１の案内点位置決め構造まで延び、当該単一長さの引き締め紐は、次いで、前記引き締め紐の前記少なくとも１つの長手部分として、前記靴の前記アッパーの前記長さに沿って、前記複数の案内点位置決め構造のうち前記靴の前記アッパーの前記第２の側面上に配置されている第２の案内点位置決め構造まで延び、当該単一長さの引き締め紐は、次いで、前記引き締め紐の前記少なくとも２つの横部分のうちの第２の横部分として、前記靴の前記アッパーを横断して折り返し、前記靴の前記アッパーの前記第１の側面上の第２の点まで延びており、前記単一長さの引き寄せ紐の前記第２端は前記靴の前記アッパーの前記第１の側面上の前記第２の点へ付着されている、システム。
【請求項４】
請求項３に記載のシステムにおいて、前記単一長さの引き締め紐の前記第１端及び前記第２端はそれぞれトグル型支柱を備え、前記靴の前記アッパーの前記第１の側面上の前記第１の付着点及び前記第２の付着点はそれぞれアイレットを備えており、前記トグル型支柱は前記アイレットへ取り外し可能に付着可能である、システム。
【請求項５】
請求項１に記載のシステムにおいて、前記複数の案内支柱位置決め構造のうちの少なくとも１つは、前記少なくとも１つの長さの引き締め紐を周りに係合させるキャップ付き開放支柱を備えている、システム。
【請求項６】
請求項１に記載のシステムにおいて、前記複数の案内支柱位置決め構造のうちの少なくとも１つは、前記少なくとも１つの長さの引き締め紐を通して係合させるブロック及びプーリーを備えている、システム。
【請求項７】
請求項１に記載のシステムにおいて、前記引き締め紐係合部材は、前記引き締め紐の前記少なくとも１つの長手部分へ取り外し可能に付着されている、システム。
【請求項８】
請求項１に記載のシステムにおいて、前記靴はタンを有し、前記システムは前記タン上に配置されているタン紐案内を更に備えており、前記少なくとも１つの長さの引き締め紐は前記タン紐案内を通って延びていて前記タン紐案内の内に滑動式に拘束保持されている、システム。
【請求項９】
請求項２に記載のシステムにおいて、前記斜めバックルは、前記靴のソール部に隣接する前記靴の側面上の付着点から延びている固定ストラップと固定されているリング部材を備えており、前記引き締めストラップは前記斜めバックルの前記リング部材を通って滑動式に係合されている、システム。
【請求項１０】
請求項２に記載のシステムにおいて、前記引き締めストラップの前記長手部分は、
調節バックルにて終端するように前記斜めバックルとの係合部から延びている第１の長手ストラップ区分と、
前記靴の前記踵部に隣接する前記靴上の付着点から前記調節バックルを滑動式に通って前記引き締めストラップ上の前記対応する付着面にて終端するように延びている第２の長手ストラップ区分と、を備え、
前記第２の長手ストラップ区分は、前記調節バックル及び前記第１の長手ストラップ区分を引っ張りながら、前記引き締めストラップ上の前記対応する付着面が前記靴上の前記付着面の上に位置決めされそれへ付着して可変式に固定される点まで後ろへ引き締められる、システム。
【請求項１１】
請求項１に記載のシステムにおいて、前記少なくとも１つの長さの引き締め紐は、閉ループ単一長さの引き締め紐を備えており、当該閉ループ単一長さの引き締め紐は、前記引き締め紐の前記少なくとも２つの横部分のうちの第１の横部分として、前記複数の案内点位置決め構造のうち前記靴の前記アッパーの第１の側面上に配置されている第１の案内点位置決め構造から、前記靴の前記アッパーを横断して、前記複数の案内点位置決め構造のうち前記靴の前記アッパーの第２の側面上に配置されている第２の案内点位置決め構造まで延び、当該閉ループ単一長さの引き締め紐は、次いで、前記引き締め紐の前記少なくとも１つの長手部分の第１の長手部分として、前記靴の前記アッパーの前記長さに沿って、前記複数の案内点位置決め構造のうち前記靴の前記アッパーの前記第２の側面上に配置されている第３の案内点位置決め構造まで延び、当該閉ループ単一長さの引き締め紐は、次いで、前記引き締め紐の前記少なくとも２つの横部分のうちの第２の横部分として、前記靴の前記アッパーを横断して折り返し、前記複数の案内点位置決め構造のうち前記靴の前記アッパーの前記第１の側面上に配置されている第４の案内点位置決め構造まで延び、前記閉ループ単一長さの引き締め紐は、次いで、前記引き締め紐の前記少なくとも１つの長手部分のうちの第２の長手部分として、前記靴の前記アッパーの前記長さに沿って、前記複数の案内点位置決め構造のうちの前記第１の案内点位置決め構造まで延びている、システム。
【請求項１２】
請求項１１に記載のシステムにおいて、前記靴上に配置されている前記付着面は固定支柱フックを備え、前記引き締め紐上に配置されている前記対応する付着面は複数のアイレットを備えており、前記引き締めストラップは、前記引き締め紐と前記靴の前記アッパーを締め付け状態に保持するべく、前記複数のアイレットのうちの１つを前記固定支柱フック上へ位置決めするように、前記靴を横断して引き締められる、システム。
【請求項１３】
請求項１１に記載のシステムにおいて、前記引き締め紐係合部材は、前記引き締め紐の前記少なくとも１つの長手部分のうちの前記第１の長手部分か又は前記第２の長手部分のどちらかへ取り外し可能に付着可能であり、前記システムは前記靴上に配置されている第２の付着面を更に備えており、前記引き締め紐係合部材を前記引き締め紐の前記少なくとも１つの長手部分のうちの前記第１の長手部分へ係合させることは、前記靴上に配置されている前記第１の付着面への前記引き締めストラップの付着を可能にし、前記引き締め紐係合部材を前記引き締め紐の前記少なくとも１つの長手部分のうちの前記第２の長手部分へ係合させることは、前記靴上に配置されている前記第２の付着面への前記引き締めストラップの付着を可能にする、システム。
【請求項１４】
請求項１１に記載のシステムにおいて、前記靴はタンを有し、前記システムは前記タン上に配置されているタン紐案内を更に備えており、前記少なくとも１つの長さの引き締め紐は前記タン紐案内を通って延びていて前記タン紐案内の内に滑動式に拘束保持されている、システム。
【請求項１５】
請求項１１に記載のシステムであって、
前記引き締め紐の前記少なくとも１つの長手部分との前記引き締めストラップ係合点に隣接する前記靴の前記アッパーの第１のアイステイ部を貫いて配置されている第１のスロット開口を画定しているアイステイアイレットと、
前記第１のアイステイ部から横方向に前記靴を横断して前記靴の前記アッパーの第２のアイステイ部の上に配置されている第２のスロット開口を画定しているリテイナーブリッジと、を更に備え、
前記引き締めストラップは、前記第１のスロット開口に通され、前記引き締め紐を前記第１のスロット開口を通して引き締め、前記引き締め紐上の前記対応する付着面を前記靴上の前記付着面への付着に向けて位置決めするために、前記引き締め紐を横方向に前記靴を横断して延ばし前記第２のスロット開口を通った後に方向を反転させて折り返し横方向に前記靴を横断して延ばす、システム。
【請求項１６】
請求項１１に記載のシステムにおいて、前記引き締めストラップの前記横部分は「Ｙ字」型ストラップを備え、前記引き締め紐係合部材は前記「Ｙ字」型ストラップの２つの腕部のそれぞれに１つずつ別々に配置されている第１及び第２の係合部材を備えており、前記システムは、概して前記第２の案内点位置決め構造と前記第３の案内点位置決め構造の間に配置されている第５の案内点位置決め構造を更に備え、前記第１の係合部材は前記第２の案内点位置決め構造と前記第５の案内点位置決め構造の間で前記引き締め紐に係合し、前記第２の係合部材は前記第５の案内点位置決め構造と前記第３の案内点位置決め構造の間で前記引き締め紐に係合する、システム。
【請求項１７】
請求項１に記載のシステムにおいて、前記少なくとも１つの長さの引き締め紐は、
第１の閉ループ長さの引き締め紐であって、当該第１の閉ループ長さの引き締め紐は、前記引き締め紐の前記少なくとも２つの横部分のうちの第１の横部分として、前記複数の案内点位置決め構造のうち前記靴の前記アッパーの第１の側面上に配置されている第１の案内点位置決め構造から、前記靴の前記アッパーを横断して、前記複数の案内点位置決め構造のうち前記靴の前記アッパーの第２の側面上に配置されている第２の案内点位置決め構造まで延び、当該第１の閉ループ長さの引き締め紐は、次いで、前記引き締め紐の前記少なくとも１つの長手部分のうちの第１の長手部分として、前記靴の前記アッパーの前記長さに沿って、前記複数の案内点位置決め構造のうち前記靴の前記アッパーの前記第２の側面上に配置されている第３の案内点位置決め構造まで延び、当該第１の閉ループ長さの引き締め紐は、次いで、前記引き締め紐の前記少なくとも２つの横部分のうちの第２の横部分として、前記靴の前記アッパーを横断して折り返し、前記複数の案内点位置決め構造のうち前記靴の前記アッパーの前記第１の側面上に配置されている第４の案内点位置決め構造まで延び、当該第１の閉ループ長さの引き締め紐は、次いで、前記引き締め紐の前記少なくとも１つの長手部分のうちの第２の長手部分として、前記靴の前記アッパーの前記長さに沿って、前記複数の案内点位置決め構造のうちの前記第１の案内点位置決め構造まで延びている、第１の閉ループ長さの引き締め紐と、
第２の閉ループ長さの引き締め紐であって、当該第２の閉ループ長さの引き締め紐は、前記引き締め紐の前記少なくとも２つの横部分のうちの第３の横部分として、前記複数の案内点位置決め構造のうち前記靴の前記アッパーの第１の側面上に配置されている第５の案内点位置決め構造から、前記靴の前記アッパーを横断して、前記複数の案内点位置決め構造のうち前記靴の前記アッパーの第２の側面上に配置されている第６の案内点位置決め構造まで延び、当該第２の閉ループ長さの引き締め紐は、次いで、前記引き締め紐の前記少なくとも１つの長手部分のうちの第３の長手部分として、前記靴の前記アッパーの前記長さに沿って、前記複数の案内点位置決め構造のうち前記靴の前記アッパーの前記第２の側面上に配置されている第７の案内点位置決め構造まで延び、当該第２の閉ループ長さの引き締め紐は、次いで、前記引き締め紐の前記少なくとも２つの横部分のうちの第４の横部分として、前記靴の前記アッパーを横断して折り返し、前記複数の案内点位置決め構造のうち前記靴の前記アッパーの前記第１の側面上に配置されている第８の案内点位置決め構造まで延び、当該第２の閉ループ長さの引き締め紐は、次いで、前記引き締め紐の前記少なくとも１つの長手部分のうちの第４の長手部分として、前記靴の前記アッパーの前記長さに沿って、前記複数の案内点位置決め構造のうちの前記第５の案内点位置決め構造まで延びている、第２の閉ループ長さの引き締め紐と、を備えている、システム。
【請求項１８】
請求項１７に記載のシステムにおいて、前記引き締めストラップの前記横部分は「Ｙ字」型ストラップを備え、前記引き締め紐係合部材は前記「Ｙ字」型ストラップの２つの腕部のそれぞれに１つずつ別々に配置されている第１及び第２の係合部材を備えており、前記第１の係合部材は前記第２の案内点位置決め構造と前記第３の案内点位置決め構造の間で前記第１の閉ループ長さの引き締め紐に係合し、前記第２の係合部材は前記第５の案内点位置決め構造と前記第６の案内点位置決め構造の間で前記第２の閉ループ長さの引き締め紐に係合する、システム。
【請求項１９】
請求項１８に記載のシステムにおいて、前記第１の係合部材は、前記引き締め紐の前記少なくとも１つの長手部分のうちの前記第１の長手部分か又は前記第２の長手部分のどちらかへ取り外し可能に付着可能であり、前記第２の係合部材は、前記引き締め紐の前記少なくとも１つの長手部分のうちの前記第３の長手部分か又は前記第４の長手部分のどちらかへ取り外し可能に付着可能であり、前記システムは前記靴上に配置されている第２の付着面を更に備えており、前記第１の引き締め紐係合部材及び前記第２の引き締め紐係合部材を前記引き締め紐の前記少なくとも１つの長手部分のうちの前記第１の長手部分及び前記第３の長手部分へそれぞれ係合させることは、前記靴上に配置されている前記第１の付着面への前記引き締めストラップの付着を可能にし、前記第１引き締め紐係合部材及び前記第２の引き締め紐係合部材を前記引き締め紐の前記少なくとも１つの長手部分のうちの前記第２の長手部分及び前記第４の長手部分へそれぞれ係合させることは、前記靴上に配置されている前記第２の付着面への前記引き締めストラップの付着を可能にする、システム。
【請求項２０】
請求項１に記載のシステムであって、前記靴の前記側面の間に前記靴の前記アッパーを横断して前記引き締めストラップの前記横部分と略平行に延びている少なくとも１つの弾性帯を更に備えているシステム。
【発明の詳細な説明】
【技術分野】
【０００１】
[0001]本発明は概括的には靴及び靴を足へ固定するためのシステムに関する。本発明は、より具体的には、単一引手機構又は二重引手機構の使用を通じて足の周りに靴を閉鎖するように靴のアッパー構成要素を一体に引き締めるための構造及びシステムに関する。
【背景技術】
【０００２】
[0002]本発明は、２０１６年６月１４日にアダムス他の名の下に発行された米国特許第９，３６４，０４６号に記載されている靴のための単一引手なじみ調節システムと同じ課題の解決に取り組んでいる。米国特許第９，３６４，０４６号の開示全体をここに参考文献として援用する。
【先行技術文献】
【特許文献】
【０００３】
【特許文献１】米国特許第９，３６４，０４６号
【発明の概要】
【０００４】
[0003]本発明は、靴を足へ固定するための全体的なシステムであって１つの引手の靴閉鎖配列を利用したシステム内での多数の好適な実施形態を提供する。本発明の様々な代わりの実施形態のそれぞれは、靴の外側面と内側面の間を靴のタン又は頂部を横断して延びる、広範には「方形化紐」配列（“Ｓｑｕａｒｅｄ−ｃｏｒｄ”  ａｒｒａｎｇｅｍｅｎｔ）と呼称されるものを利用している。「方形化紐」配列とは、概して、一連の角又は辺上点の紐補足デバイスを周って延びている紐の開又は閉ループの略矩形配列をいう。略矩形とはいうものの、ここに記載の方形化紐配列は角に直角を画定する必要もなければ等しい長さの対辺を有する必要もない。配列は、台形であってもよいし、又は本開示に示されている「略矩形」ないし「方形化紐」配列定義から逸脱することなく内方又は外方に湾曲している辺を有していてもよい。様々な代わりの実施形態は、方形化紐配列の辺を引き込み、それにより方形化紐配列の辺をそれの当初の弛緩構成から縮めて締め付けるために、１つ又はそれ以上の方形化紐構造へ接続されている単一引き締めストラップを設けている。１つ又はそれ以上の方形化紐を引き締める又は引っ張るための様々な構造、及び紐をそれの元の構成から滑らせる又は動かすことを可能にさせるための様々な構造が説明されている。
【０００５】
[0004]説明される数々の実施形態は、靴閉鎖を達成するべく方形化紐構成の１つの辺を引き締めるサイドストラップを利用している。第１の実施形態の単一引手ストラップは、横方向の向き（靴を横断する向き）から長手方向の向き（靴に沿った向き）へ向き直され、長手方向の向きにてストラップは長手方向動作で後ろへ引き締められ靴の側面及び／又は踵部に固定される。代わりの実施形態は、より短い引き締めストラップを靴の側面のタン区域より下方の固定点へ横方向に引くものであり、長手方向の引き動作の必要性がない。更なる代わりの実施形態は、引き締めストラップを長手方向に靴の頂部の中心線に沿って方形化紐配列上へ戻る固定点まで引っ張る。この場合も先と同じく、方形化紐構成を一体に引き締めることを達成するための様々な構造的機構が構想され、説明されている。
【図面の簡単な説明】
【０００６】
【図１】[0005]本発明の方形化紐靴閉鎖システムの第１の実施形態の平面図であり、システムは開放弛緩構成にあるところが示されている。
【図２】[0006]図１に提供されている本発明の方形化紐靴閉鎖システムの第１の好適な実施形態の側面図であり、引き締めストラップの横方向の向きから長手方向の向きへの向き直しを示している。
【図３】[0007]図１に提供されている本発明の方形化紐靴閉鎖システムの第１の好適な実施形態の平面図であり、システムは閉鎖締め付け構成にあるところが示されている。
【図４Ａ】[0008]図１に提供されている本発明の第１の好適な実施形態の方形化紐止め金の詳細図である。
【図４Ｂ】[0008]図１に提供されている本発明の第１の好適な実施形態の方形化紐止め金の詳細図である。
【図５Ａ】[0009]本発明の様々な好適な実施形態の方形化紐配列の角点のための３通りの代わりの構造のうちの１つの詳細図である。
【図５Ｂ】[0009]本発明の様々な好適な実施形態の方形化紐配列の角点のための３通りの代わりの構造のうちの１つの詳細図である。
【図５Ｃ】[0009]本発明の様々な好適な実施形態の方形化紐配列の角点のための３通りの代わりの構造のうちの１つの詳細図である。
【図６】[0010]単一横方向引手を靴の側面への付着と共に組み入れている本発明の方形化紐靴閉鎖システムの第２の好適な実施形態の平面図であり、システムは開放弛緩構成にあるところが示されている。
【図７】[0011]図６に提供されている本発明の方形化紐靴閉鎖システムの第２の好適な実施形態の平面図であり、システムは閉鎖締め付け構成にあるところが示されている。
【図８Ａ】[0012]単一横方向引手を靴の側面への付着と共に組み入れ、更に追加的な横方向閉鎖作用で補完されている、本発明の方形化紐靴閉鎖システムの第３の好適な実施形態の平面図であり、システムは開放弛緩構成にあるところが示されている。
【図８Ｂ】[0013]図８Ａに提供されている本発明の方形化紐靴閉鎖システムの第３の好適な実施形態の平面図であり、システムは開放構成と閉鎖構成の間の途中の状態にあるところが示されている。
【図８Ｃ】[0014]図８Ａに提供されている本発明の方形化紐靴閉鎖システムの第３の好適な実施形態の平面図であり、システムは閉鎖締め付け構成にあるところが示されている。
【図９】[0015]方形化紐構成要素の１辺の２つの区分に作用する単一横方向引手を組み入れている本発明の方形化紐靴閉鎖システムの第４の好適な実施形態の平面図であり、システムは開放弛緩構成にあるところが示されている。
【図１０Ａ】[0016]本発明の方形化紐靴閉鎖システムの第５の好適な実施形態の平面図であり、横方向に靴を横断して方向決めされる単一短尺引手が二重方形化紐配列内の複数の紐を引き締めることを達成するための構造を示しており、システムは開放弛緩構成にあるところが示されている。
【図１０Ｂ】[0017]最初に図１０Ａに示されている本発明の方形化紐靴閉鎖システムのための第５の好適な実施形態としての代わりの構造の平面図であり、横方向に靴を横断して方向決めされる二重短尺引手が二重方形化紐配列内の複数の紐を引き締めることを達成するための構造を示しており、システムは開放弛緩構成にあるところが示されている。
【図１１】[0018]本発明の方形化紐靴閉鎖システムの第６の好適な実施形態の平面図であり、長手方向に靴を上って方向決めされる単一短尺引手が二重方形化紐配列内の複数の紐を引き締めることを達成するための構造を示しており、システムは開放弛緩構成にあるところが示されている。
【図１２】[0019]本発明の方形化紐靴閉鎖システムの第７の好適な実施形態の平面図であり、最初に長手方向に靴を下ってから方向を逆転させて長手方向に靴を上って方向決めされる単一長尺引手が二重方形化紐配列内の複数の紐を引き締めることを達成するための構造を示しており、システムは開放弛緩構成にあるところが示されている。
【図１３】[0020]図１１に提供されている本発明の方形化紐靴閉鎖システムの第６の好適な実施形態のための引手ストラップ付着構造の詳細部分断面図である。
【図１４】[0021]図１２に提供されている本発明の方形化紐靴閉鎖システムの第７の好適な実施形態のための引手ストラップ付着構造の詳細部分断面図である。
【発明を実施するための形態】
【０００７】
[0022]まず本発明の方形化紐靴閉鎖システムの第１の好適な実施形態を提供している図１を参照して、本図ではシステムが閉鎖前の靴の中へ使用者の足をいつでも差し入れることのできる概して開放弛緩構成にあるところが示されている。靴閉鎖システム１０は、靴の外側面１４及び内側面１６を有する靴１２（提供されている実施例では左足の靴が示されている）上に配置されている。更に靴の踵部１８が図１の上側に示され、また靴のつま先部２０が下側に示されている。靴のタン部２２が、本発明の靴閉鎖システム１０の内の下方に示されている。
【０００８】
[0023]全体としての靴閉鎖システム１０は、靴１２の踵部１８へ固定され内側面１６を前方へ靴の中ほどまで延びているストラップ構成要素で始まっている。当業者には、靴の内側面上に配置されているサイドストラップ構成要素に関して図１に表されている構造は靴の外側面上にて又は外側面から作用するようにそっくり反転されてもよい、ということが認識されるだろう。外側面から作用させる場合は、方形化紐構成要素は、靴の頂部又はタンを横断する向きも同じく反転される。
【０００９】
[0024]靴閉鎖システム１０のサイドストラップ構成要素は、靴の踵部１８上の、靴の構造へ縫い付けられている点から延びているアンカーストラップ２４を含んでいる。アンカーストラップ２４は、前方へ踵を周って後部ストラップバックル２６まで延び、そこでバックルを通り抜けたら方向を逆転させ後部ストラップ引き戻し部２８で終わっている。或る好適な実施形態では、後部ストラップ引き戻し部２８は付着面２５ａ及び２５ｂを用いてアンカーストラップ２４に当てて固定される。後部ストラップ引き戻し部２８を靴の踵部１８に当ててしっかり固定するには様々な型式の可撓性又は半剛性の付着面が使用できるであろう。一部の実施形態、特に子ども用などの小さい靴に係る実施形態では、バックル２６及びアンカーストラップ２４をそっくり排除し、引き締めストラップ長手部分３０の端部から形成される後部ストラップ引き戻し部２８が、本発明の方形化紐システムのストラップ部を長手方向に靴の側面に沿って引っ張り、その後、靴１２の踵部１８の区域へ直接固定されている付着面２５ａへ直に（ストラップ上に配置されている付着面２５ｂにより）固定されるようにしてもよい。
【００１０】
[0025]図１に示されている好適な実施形態では、上述のストラップ配列によって達成される長手方向の引っ張りは、引き締めストラップ長手部分３０へ接続されていて同長手部分３０の端点を形成している後部ストラップバックル２６に作用する。後部ストラップバックル２６から紐止め金３８まで延びている引き締めストラップは、２つの部分、即ち、１つ目の長手部分である引き締めストラップ長手部分３０と２つ目の横部分である引き締めストラップ横部分３６で構成されている。ストラップ全体の向きは斜めループバックル３２にて変えられている。斜めループバックル３２は保持ストラップ３４によってその場に保持されており、保持ストラップ３４はバックル３２から靴の側面上の点まで延びていて（図２を参照）、そこでそれは靴の側面へ固定されているか又は靴のソールが靴のアッパーに交わる点に固定されている。代わりに、斜めループバックル３２は、単純に、リベット又は他の付着構成要素（図示せず）がそれを図１及び図２に示されている同位置に固着した状態で靴の側面へ固定されていてもよい。図１及び図２に示されているストラップ及び紐の配列は、取り外し可能及び反転（靴の内側面から外側面へ切り換え）可能であるように構築されている。
【００１１】
[0026]引き締めストラップが斜めループバックル内でその向きを引き締めストラップ長手部分３０の長手方向の向きから引き締めストラップ横部分３６の横方向の向きへ変えた後、ストラップは紐止め金３８への付着で終端している。好適な実施形態では、引き締めストラップ横部分３６は、靴のタン部２２を横方向の向きに横断してそれが本発明の方形化紐構成要素に係合する点まで延びている。図１に示されている好適な実施形態では、引き締めストラップ横部分３６の長さは、ストラップの端の紐止め金３８の位置を移動させることによって独立に調節されることができる。
【００１２】
[0027]図１から分かる様に、方形化紐構造自体は、引き締め紐長手部分４０、引き締め紐後方横部分４２、及び引き締め紐前方横部分４４、を含んでいる単一長さの引き締め紐で構成されている。この単一長さの引き締め紐は、紐端支柱４６ａからずっと紐端支柱４６ｂまで延びている。紐端支柱４６ａ及び４６ｂは、靴上の紐端アイレット４８ａ及び４８ｂ内に配置されている。紐のこれらの端区分が端アイレットの中へ挿入され、その中に固定されるやり方は、図１に破線で示されている好適なトグル型支柱構成への固定的な縫い込み付着構造とは異なってもよい。
【００１３】
[0028]第１の好適な実施形態の単一引き締め紐構造は、端支柱及び端アイレットの間を固定プーリー５０ａ及び５０ｂを通って延びている。引き締め紐は、容易に、固定プーリー５０ａ及び５０ｂを通って滑動し、また同じく紐止め金３８を通って滑動する。固定プーリー及び紐止め金の構造に関する追加の詳細が以下に提供されている。図１の固定プーリー５０ａ及び５０ｂが示されている場所に配置され得る代わりの構造も以下により詳しく説明されている。
【００１４】
[0029]図１に破線で示されている２つの追加の構造は、円滑な機能性を実現し易くするためにシステムへ随意的に組み入れることのできる構成要素を示している。タン紐案内４９が靴のタン２２の上側部分へ固定されて弛緩状態と締め付け状態のどちらにおいてもタンが閉鎖システムより下へずり落ちるのを防ぐようになっていてもよい。弾性ストラップ３５がタン２２を横断して配置され、その端を靴の互いに反対側のアイステイへ付着されて、方形化紐靴閉鎖システムが弛緩しているときにも靴の側面同士を（アイステイにて）引き寄せるようになっていてもよい。
【００１５】
[0030]図１に示されている概して弛緩した構成では、どのようにして本発明のシステムの方形化紐構成要素を容易に基礎の靴構造へ付着させたり靴構造から取り外したりできるかが分かり、その結果、機能的な摩耗のせいで又は審美的な目的で方形化紐を取り外し交換することができるようになる。紐止め金３８は引き締め紐長手部分４０から容易に取り外せるし、また紐の端４６ａ及び４６ｂは靴１２上に配置されている端アイレット４８ａ及び４８ｂから容易に取り外せる。
【００１６】
[0031]以上に図１で示されている本発明の方形化紐靴閉鎖システムの第１の好適な実施形態の側面図である図２を次に参照して、本図は引き締めストラップを横方向の向きから長手方向の向きへ向け直すやり方を開示している。靴閉鎖システム１０はここでも同じく靴１２上に構築されているものとして示されており、図２の視点は靴の内側面１６である。靴の踵部１８及びつま先部２０も開示されている。靴のタン部２２の頂部は輪郭が分かる。
【００１７】
[0032]アンカーストラップ２４は本図では付着面２５ａによって殆ど覆われているものとして示されており、アンカーストラップ２４は靴の踵部１８へ固定されていて、踵へと又は踵を周って延び、次いで前方へ長手方向に靴の長さに沿って後部ストラップバックル２６に向かって延びている。アンカーストラップ２４は、次いで、後部ストラップバックル２６を通って後ろ向きに向きを変えて後部ストラップ引き戻し部２８に終端している。上述の様に、後部ストラップ引き戻し部２８をアンカーストラップ２４上へ固定する又はアンカーストラップ２４にきつく当てて固定するための様々な機構が構想される。後部ストラップバックル２６は、図示の様に単純な二重ループバックルであってもよいし、又は引き締めストップを固定位置に維持するのを実現し易くするために摩擦付与バックルとして構築されていてもよい。後部ストラップバックル２６が丸ごと省略され単一のストラップが後ろへ付着面２５ａまで延びているという更なる代わりの実施形態も構想され、以上に説明されている。
【００１８】
[0033]後部ストラップバックル２６の前方には、引き締めストラップ長手部分３０と引き締めストラップ横部分３６で構成されている引き締めストラップが延びている。引き締めストラップのための長手方向から横方向への方向の変更を斜めループバックル３２が達成している。斜めループバックル３２を靴１２の内側面１６の大凡中間点にてその場に保持しているのが保持ストラップ３４であり、保持ストラップ３４は、或る好適な実施形態では、バックルから、内側面１６のアッパーと靴ソール５４の間の接面の固定付着点まで、又はアッパーとアウトソールの連接部から上方に延びるタブ（図示せず）まで、延びている。
【００１９】
[0034]図２に示されている一杯に開放され弛緩した構成では、靴閉鎖システム１０の機能的な方形化紐構成要素の多くは見えない。図２の視点の側からは、タン部２２に隣接する靴の内側面１６のアッパーを貫いて靴のアイステイに配置されている紐端アイレット４８ａ及び４８ｂが見える。アイレット４８ａ及び４８ｂの中にはコード端支柱（図２には示されていない）が配置されていて、そこから引き締め紐後方横部分４２及び引き締め紐前方横部分４４が延びている。引き締め紐横部分４２及び４４は、靴のタン部２２の上を横断して延びている。同じ様に、引き締めストラップ横部分３６も靴のタン部２２の上を横断して、それの引き締めストラップ長手部分（図示せず）への付着点まで延びている。随意的な弾性ストラップ３５が、概して、引き締めストラップ横部分３６がタン２２を跨いでいる区域の下方に示されている。図２の視点では随意的なタン紐案内４９も輪郭（破線の形態）が分かる。
【００２０】
[0035]次に図３を参照して、本図は図１に示されている方形化紐靴閉鎖システムの第１の好適な実施形態の同じ平面図であるが、使用者の足が靴の中へ差し入れられ、靴を引き締めて閉鎖させるために単一引手長手方向動作が行われた後の閉鎖締め付け構成にあるところが示されている。前と同じく、靴閉鎖システム１０は靴１２上に靴の外側面１４と内側面１６の間に配置されている。靴の踵部１８はやはり同じく図３の上側に示され、つま先部２０は下側に示されている。靴のタン部２２は本発明の靴閉鎖システム１０の内の下方に示されている。
【００２１】
[0036]図３に示されている閉鎖構成では、後部ストラップ引き戻し部２８は後部ストラップバックル２６に逆らって後方へ引き締められ、それが引き締めストラップ長手部分３０を上述の様に引っ張る。後部ストラップ引き戻し部２８は、踵部１８上の点から延びているアンカーストラップ２４へ取り外し可能に固定される。以上に示唆されている様に、後部ストラップ引き戻し部２８をアンカーストラップ２４へ又は踵部１８上の付着面へ固定するための様々な機構が構想される。
【００２２】
[0037]引き締めストラップ長手部分３０の長手方向引っ張りは、保持ストラップ３４によってその場に保持されている斜めループバックル３２によって向け直される。引き締めストラップ長手部分３０は、図示の様に紐止め金３８へ固定されている引き締めストラップ横部分３６へと移行している。図３に示されている閉鎖構成では、紐止め金３８は止め金と共に引き締め紐長手部分４０を引っ張りながら横方向に靴を横断して動かされたところである。引き締め紐長手部分４０を引っ張るプロセスが長手方向紐を斜めにさせ、それにより引き締め紐後方横部分４２及び引き締め紐前方横部分４４の両方を引っ張り縮める。これらの紐構成要素は、方形化紐構成の角の固定プーリー５０ａ及び５０ｂを通って滑動する。引き締め紐後方及び前方横部分４２及び４４を引っ張り縮めるプロセスは、靴の２つの側面同士を靴のタン２２を横断して引き寄せ、それにより靴を締め付け、靴を着用者の足に固定する働きをする。図３には随意的な弾性ストラップ３５及びタン紐案内４９も開示されている。
【００２３】
[0038]次に、紐止め金３８について追加の詳細を提供している図４Ａ及び図４Ｂを参照する。止め金３８は、概して、ストラップ長さ調節及び固定開口３７を含んでいる平坦基部３５を有するフック装置として構成されている。止め金３８のフック部３９は、紐４０が滑り入り止め金３８によって係合された状態になるのに十分な垂直方向ギャップを残して基部３５へ二つ折りにされている。図４Ａ及び図４Ｂに示されている構成は、止め金を、必要に応じた向け直し又は交換に備えて取り外し可能に紐の周りに配置させることを可能にする。
【００２４】
[0039]図５Ａ−図５Ｃは、滑動式角点紐固定装置の３通りの代わりの実施形態についての追加の詳細を提供している。図５Ａは、図１及び図３に示されている固定プーリー５０ａを開示している。この部分断面図では、固定プーリー５０ａは、プーリー車軸６１によって所定位置に維持される回転可能な円筒体６２を保持しているプーリーブロック６０で構成されているのが分かる。プーリー車軸６１は、プーリーのための車軸としての働きをするとともに固定プーリー５０ａを靴１２のアッパーへ固定する方途としての働きもしている。プーリー車軸６１は、例えば靴へ固定プーリー５０ａを通って固定されるリベットであってもよい。プーリーブロック６０の上側の面は、示されている様にプーリー車軸／リベットの頭部を受け入れるための陥凹部６３を含んでいるのが望ましい。図５Ａに示されている実施形態では、紐４０は、それが角又は辺上点構造から易々と脱落したり或いは角又は辺上点構造を再度通り抜けたりするのを防止するやり方で固定プーリー５０ａのブロック６０に通されている。図１−図３に示されているシステムの代わりの実施形態は、プーリーブロック６０の開放側が角点位置で外方を指しているように固定プーリー構造５０ａの向きを定め直している。固定プーリー５０ａ及び５０ｂを向き定めるこの代わりのやり方では、紐４０は、単に、紐を回転可能な円筒体６２の周りに外側から引き掛ける又は張ることによって角点プーリーの周りに固定されているだけであってもよい。
【００２５】
[0040]図５Ｂは、支柱構造を提供することによって紐４０の角又は辺上点固定を達成する更に単純なやり方を提示しており、この場合も同じく支柱構造はリベットなどの方式で靴１２のアッパーへ固定される。図５Ｂに示されている角支柱７０ａは、支柱ピン７２を備え、支柱ピン７２の一端が支柱キャップ７３に構成されている。リベット部７１は、角支柱７０ａを厳密な直立構成で固定するやり方で靴１２の材料を貫いて延びていることが示されており、直立構成では角支柱７０ａは、紐４０を、紐が張力の掛かった状態にある限り保持する。紐４０は、弛緩構成では、数多くの好適な実施形態で望ましいとされるやり方で角支柱７０ａからより容易く取り外せる。
【００２６】
[00041]更に、図５Ｃは、紐４０のための角又は辺上点を、方形化紐輪郭の角又は辺での紐の直角向け直しを達成するやり方で作成するための、更に別の構成を示している。図５Ｃは、主として単純なグロメット７６で構成されている角又は辺上点の開口７７ａを開示しており、グロメット７６は、（例えば）引き締め紐横部分４２を引き出してグロメット７６を上向きに通過させたうえで引き締め紐長手部分４０として出ていかせ、次いで靴の長さを下る方向に靴の下側の部分のアイステイ付近及びタンの基部付近の対応する開口グロメットへ向かわせることができるやり方で、靴１２のアッパーを貫いて固定されている。
【００２７】
[0042]図５Ａ−図５Ｃに開示されている本発明の方形化紐システムの角又は辺上点のための様々な代わりの実施形態は、構築の単純さの恩恵と角点周りの摩擦無し運動の恩恵の間で釣り合いを取っている。説明されている具体的な構成のそれぞれは、特定の靴型式及び特定の靴サイズでは他のものに勝る特定の恩恵を享受する。所与の方形化紐配列に角又は辺上点の諸型式を混在させることも実施可能である。
【００２８】
[0043]次に、単一横方向引手を靴の側面への固定と共に組み入れている本発明の方形化紐靴閉鎖システムの第２の好適な実施形態の平面図である図６を参照して、本図ではシステムは閉鎖前の靴の中へ使用者の足をいつでも差し入れることのできる開放弛緩構成にあるところが示されている。靴閉鎖システム８０は、靴の外側面１４及び内側面１６を有する靴１２（図６の実施例では左足の靴が示されている）上に配置されている。図６には踵部１８及びつま先部２０もそれぞれの向きに示されている。靴のタン２２も前と同じく本発明の靴閉鎖システム８０の内の下方に示されている。
【００２９】
[0044]図６に示されている第２の好適な実施形態では、全体としての靴閉鎖システム８０は、上述の第１の好適な実施形態にある様な靴の側面を長手方向に下って延ばされ靴の踵部の点へ固定されたストラップ構成要素を排除している。代わりにこの第２の実施形態は、第１の好適な実施形態と同様のやり方で紐へ固定されてはいるが靴のミッドソール部の片側の固定点へ付着されるように構成されている単一短尺横方向ストラップを提供している。
【００３０】
[0045]図６に示されている方形化紐配列は閉ループ構造を備えており、紐は、引き締め紐第１長手部分８２ａ、引き締め紐前方横部分８２ｂ、引き締め紐第２長手部分８２ｃ、及び引き締め紐後方横部分８２ｄ、で構成されている。紐材料は、引き締め紐前方横部分８２ｂ上の中間点に設置されているのが望ましいとされる紐クリンプコネクタ７９で以て紐材料自体へ戻って固定されている。紐は、この構成では、方形を形成する角点に通すか又は角点周りに固定することによって矩形の幾何学形状に確立されている。図６に示されている実施形態には、以上に第１の好適な実施形態に関して図５Ａに関連付けて説明されているやり方で構築されている４つの固定プーリー８４ａ−８４ｄがある。以上に第１の好適な実施形態に関して説明されている代わりの角点のそれぞれもまた図６に示されている実施形態に適用可能である。
【００３１】
[0046]固定ストラップ８１が、引手タブ８７、開口アレイ８５、及びストラップ止め金８３を含んでいる。固定ストラップ８１は、使用者が実施したい横方向引っ張りの方向に依存して、引き締め紐第１長手部分８２ａを引き締めるか又は代わりに引き締め紐第２長手部分８２ｃを引き締めるように（ストラップ止め金具８３で）固定されるように設計されている。したがって、使用者が、靴の外方（靴の外側面）から靴の内側面へ横方向に靴を横断して引き締めることができるように、又はプロセスを反転させて締め付けストラップを横方向に靴の内側面から外方（外側）へ向けて方向決めすることができるように、靴の各側に固定支柱組立体が配置されている。紐ガード８６が、引き締め紐第２長手部分８２ｃ上の随意的接続点を提供しており、代わりにその上へストラップ止め金８３を固定すれば（固定支柱組立体８８ａに代えて８８ｂを使用する）横方向引き締め方向の反転を達成することもできる。
【００３２】
[0047]固定ストラップ８１の靴の側面への接続の方途は、固定支柱組立体８８ａと８８ｂの一方によって提供され、（図６に示されている向きでは）固定ストラップ８１を横方向に引き締め紐第２長手部分８２ｃの上を横断して引っ張ることによって開始される。固定機構が利用されるやり方は、以下に図７を参照しながら更に詳細に説明されている。タン紐案内８９及び弾性帯７５が靴閉鎖システム８０への随意的な追加物としてこの場合も同じく破線で示されている。図６に示されている開放構成では、弾性ストラップ７５は、紐閉鎖システムが締め付けられていないときでも靴開口部の側面同士及び靴のアイステイ同士を引き寄せる或る程度の張力をシステム内に保持するやり方で固定ストラップ８１の下に配置されていることが示されている。図６にはタン紐案内８９も、上述の第１の好適な実施形態と同様のやり方で配置されていることが開示されており、靴のタン２２は引き締め紐後方横部分８２ｄの残留張力によって上に引き留められている。
【００３３】
[0048]次に、締め付け閉鎖構成にある図６に示されている第２の好適な実施形態を表している図７を参照する。固定ストラップ８１は、引き締め紐第１長手部分８２ａを引っ張りそれにより引き締め紐後方横部分８２ｄ及び引き締め紐前方横部分８２ｂを締め付けて縮めながら横方向に靴を横断して引き締められる。この単一引手横方向運動が靴の外側面１４を内側面１６に向けて圧縮する。固定ストラップ８１が側面へ引き締められるとき、それは固定支柱組立体８８ａの上へと延びてくる。使用者は、ストラップをそれの横方向に張力の掛かった位置に固定するために、開口アレイ８５の開口の１つを固定支柱組立体８８ａ上のフック支柱に引っ掛ける。直線状の開口アレイ８５には何れの数の開口が構成されていてもよい。
【００３４】
[0049]図６及び図７に示されている本発明の好適な実施形態では、閉ループ引き締め紐（紐部分８２ａ−８２ｄで構成）は、図７に示されているやり方で締め付けられ引っ張られたときに紐に残留張力を与えて、靴の側面同士をタンの上で引き寄せる働きをするだけでなく靴へのぴったりしたなじみを維持するとともに固定ストラップ８１へ張力を作用させて固定支柱組立体８８ａ上の所定位置にストラップを維持するのを支援する働きもする弾性又は半弾性の紐であるのが望ましい。当業者には認識される様に、引き締め紐の弾性は、靴を横断して引き締められ上述のやり方で付着されたら紐内に残留張力を有することと、引き締め紐前方横部分８２ｂ及び引き締め紐後方横部分８２ｄを効果的に縮めることによって靴の側面同士をタンの上で引き寄せる能力との間の釣り合いでなくてはならない。過度に弾性であれば、固定ストラップ８１が所定位置へ引き締められたら紐は靴の側面同士をタンを横断して十分にきつく引き寄せることなくただ伸びてしまうだけである。弾性が足りなければ、紐が横断して引き締められ固定されたとき紐には残留張力が残存していない。織られたポリマー糸のシース内に内側の弾性繊維を組み合わせた様々な紐構造がこの好適な弾性的性質の釣り合いを満たす。同じく留意するべきこととして、図６及び図７に示されている閉ループ構造は、図１−図３に関連して示され説明されている靴の側面に配置されている長尺引手ストラップを用いて実施されてもよい。
【００３５】
[0050]次に、単一横方向引手を靴の側面への付着と共に組み入れ、更に追加的な中央アイステイ閉鎖作用で補完されている、本発明の方形化紐靴閉鎖システムの第３の好適な実施形態について図８Ａ−図８Ｃを参照する。図８Ａでは、靴の固定支柱組立体８８ａとは反対側の一方の側面にリテイナーブリッジ９１が配置されている。加えて、アイステイ開口９３が、靴の固定支柱組立体８８ａと同じ側のアイステイを貫いて構築されている。この第３の好適な実施形態は、図８Ａ−図８Ｃに示されている配列の鏡像（即ち、内側面と外側面が入れ換わる）に製造され又は実施されてもよいが、構造は概して、先に説明されている第２の好適な実施形態がそうである様に所与の靴で使用者反転可能とするには適さない。
【００３６】
[0051]この第３の好適な実施形態での固定ストラップ８１は、図８Ａに示されている様にアイステイ開口９３を通ってストラップ止め金８３で以て引き締め紐第２長手部分８２ｃへ付着されている。この実施形態では、固定ストラップ８１は、単に横方向に靴を横断して引き締められるのではなしに、最初にリテンションブリッジ９１の下を周ってくぐり抜けたうえで靴を横断して引き返し固定支柱組立体８８ａへ付着される。靴の第１側面（示されている実施例では外側面１４）上のこの追加の張力点が、靴のタン２２を跨いで、靴開口部の２つの側面及び靴アイステイ同士を引き寄せる追加の圧縮力を提供する。ここでも同じく、紐部分８２ａ−８２ｄで構成されている引き締め紐の弾性的な性質の釣り合いが見られなくてはならず、それが紐内の残留張力を提供し尚且つ靴の２つの側面同士を引き寄せるのに十分な非弾性の強度を提供するのである。
【００３７】
[0052]図８Ｂは、靴１２の同じ図ではあるが、方形化紐靴閉鎖システム８０は使用者が固定プロセスをほぼ半分まで進めた後の状態にあるところが示されている。プロセスのこの時点では、固定ストラップ８１が、引き締め紐第２長手部分８２ｃの中間点をアイステイ開口９３を通して引っ張り、それにより方形化紐配列の各辺部分をそれが靴の側面同士を引き寄せ始める点まで引っ張ったところである。固定ストラップ８１は、リテンションブリッジ９１の周りを靴の反対側へ向けて折り返されるのに先立ってリテンションブリッジ９１の下を外へ延びている。アイステイ開口９３は、ストラップ止め金８３を引き締め紐第２長手部分８２ｃの係合部分と共に通過させるよう十分に広い。
【００３８】
[0053]図８Ｃは、第３の好適な実施形態のための固定プロセスの完了を示しており、固定ストラップ８１はリテンションブリッジ９１の周りに折り返し靴を横断して固定支柱組立体８８ａへの付着点まで延びている。この配列は、靴の頂部を横断して２つの圧縮閉鎖力を提供しており、１つ目は方形化紐配列に張力を掛けることであり、２つ目はアイステイ開口９３とリテンションブリッジ９１の間のストラップに張力を掛けることである。４つの固定プーリー８４ａ−８４ｄは、靴の側面同士を引き寄せるプロセス中に方形化紐をきつく引き締めさせるようにする低摩擦角滑動点を提供している。補完的なやり方では、固定ストラップ８１は、着用者にとってぴったりしているが心地よいなじみを提供するように靴の側面同士を引き寄せもするやり方で、アイステイ開口９３からの横方向のラインに係合しリテンションブリッジ９１に至り固定支柱組立体８８ａへ折り返している。
【００３９】
[0054]次に、引き締め紐第１長手部分８２ａの中間に第５の固定プーリー８４ｅが加わっていることを別にすれば図６に示されている実施形態に多くの点でよく似ている実施形態を提供している図９を参照する。図９は、方形化紐配列の１つの辺の２つの区分へ作用する単一横方向引手を有する本発明の方形化紐靴閉鎖システムの第４の好適な実施形態の平面図であり、システムは開放弛緩構成にあるところが示されている。第４の好適な実施形態の配列の効果は、固定ストラップの所与の横方向引っ張りに対し方形化紐の引き締め長さを倍化するというものである。
【００４０】
[0055]第５のプーリー（以上に様々な他の好適な実施形態に関連して説明されている支柱であってもよい）の設置に加え、固定ストラップのためのこれまでの単一の接続点は、この第４の好適な実施形態では、ストラップ止め金９３ａ及び９３ｂにそれぞれ１つとして２つの接続点を提供するように改変されている。固定ストラップ９２のためのＹ字型構成は、この場合、紐を２倍引っ張り、したがって固定ストラップ９２の所与の横方向動作で２倍の圧縮力を方向決めする。それ以外については、引手タブ９７及びフック開口アレイ９５を有する固定ストラップ９２の構成は、上述の直線状ストラップ構成と本質的に同じままである。
【００４１】
[0056]図９に示されている実施形態では、引き締め紐が弛緩しているときに残留張力を提供し且つＹ字型固定ストラップがその上を引っ張られる面を提供するために、２つの弾性ストラップ７５ａ及び７５ｂをアイステイの間にタン２２を横断して配置させるのが望ましい。それ以外は、ストラップ付着のやり方は本質的に同じままである。Ｙ字型ストラップ構成を作成する代わりのやり方は、ストラップ材料のループがＹ字ストラップの腕部９４ａ及び９４ｂを形成し、その上へ固定ストラップ９２の直線区分を引っ掛けさせることを伴う。横方向引手固定ストラップ９２のＹ字型構成を維持するための様々な機構が構想される。
【００４２】
[0057]図９に示されている実施形態は、概して、横方向引っ張りの方向の使用者変更を可能にさせるように構築されていない。この理由で、図９は、たった１つの固定支柱組立体８８とたった１つの新たな固定プーリー８４ｅの追加を開示している。しかしながら、当業者には、第６の固定プーリー（図示せず）及び第２の固定支柱組立体（図示せず）を追加すれば、システムは使用者が図９に示されているのとは反対の向きに引っ張るためにＹ字型固定ストラップの向きを反転させることができるように構成され得る、ということが認識されるだろう。確かにその通りで、靴は、引手ストラップの向きを内側から外側向けにして製造されてもよいし、複雑性を或る程度高めて、横方向引っ張りの方向を使用者が選択できるように製造されてもよい。
【００４３】
[0058]次に、引き締め紐が２つの別々の閉ループ紐構成要素又は部分組立体へ分割されていることを別にすれば図９に示されているものと似ているＹ字型引き締めストラップ実施形態を提供している図１０Ａを参照する。２つの別々の方形化紐構成要素に適応するために、靴の各アイステイには、２つの別々の方形化紐部分組立体の各個のための角案内支柱の役目を果たすべく２つの靴中央二重プーリー８４ｅ及び８４ｆが配置されている。図１０Ａは、２つの別々の閉ループ方形化紐部分組立体のそれぞれの辺部分に作用する単一横方向引手を有する本発明の方形化紐靴閉鎖システムの第５の好適な実施形態の平面図である。図１０Ａはこの第５の実施形態を開放弛緩構成で示している。第５の好適な実施形態の配列の効果は、固定ストラップへの所与の横方向引っ張りに対し方形化紐構成要素の引き締め長さを更に増倍化するというものである。
【００４４】
[0059]図１０Ａに示されている二重方形化紐配列は、方形化紐閉鎖システム９０のための２つの別々の矩形配列を備えており、２つの別々の閉ループ紐は、引き締め紐第１長手部分８２ａ、引き締め紐中央横部分８２ｂ、引き締め紐第２長手部分８２ｃ、及び引き締め紐後方横部分８２ｄ、で構成される第１の方形化紐構成要素を有する二重方形化紐アレイを形成している。第２の下側の引き締め紐構成要素は、引き締め紐第１長手部分８６ａ、引き締め紐前方横部分８６ｂ、引き締め紐第２長手部分８６ｃ、及び引き締め紐中央横部分８６ｄで構成されている。この第５の好適な実施形態は２つの別々の方形化紐を提供しているが、紐アレイの機能は、靴の側面同士を引き寄せる働きをする方形化紐構成要素の横要素を縮めるプロセスに関連して以上に説明されている機能と本質的に同じである。方形化紐構成要素の長手要素を横方向に引き締めて斜めになった紐要素を形成させることによって、長手要素は伸ばされてゆき、それと相応して横要素は縮まる。
【００４５】
[0060]図１０Ａに示されている固定ストラップ９２は、引手タブ９７、開口アレイ９５、及びストラップクリップ９３ａ及び９３ｂを含んでいる。固定ストラップ９２は、使用者が実施したい横方向引っ張りの方向に依存して、引き締め紐第１長手部分８２ａ及び８６ａか又は代わりに引き締め紐第２長手部分８２及び８６ｃへ固定されるように設計されている。したがって、使用者が、靴の外方（靴の外側面）から靴の内側面へ横方向に靴を横断して引き締めることができるように、又はプロセスを反転させて締め付けストラップを横方向に靴の内側面から外方（外側）へ向けて方向決めすることができるように、靴の各側に固定支柱組立体が配置されている。紐ガード９６ａ及び９６ｂが、引き締め紐第２長手部分８２ｃ及び８６ｃ上の随意的な接続点を提供しており、代わりにその上へストラップ止め金９３ａ及び９３ｃを固定すれば（固定支柱組立体８８ａに代えて８８ｂを使用する）横方向引き締め方向の反転を達成することもできる。
【００４６】
[0061]固定ストラップ９２の靴の側面への接続の方途は、先と同じく、固定支柱組立体８８ａと８８ｂの一方によって提供され、固定ストラップ９２を横方向に引き締め紐第２長手部分８２ｃ及び８６ｃの上を跨いで又は反転方向の場合は引き締め紐第２長手部分８２ａ及び８６ａを跨いで引っ張ることによって開始される。固定機構が利用されるやり方は、以上に図７を参照しながら更に詳細に説明されているやり方と本質的に同じである。
【００４７】
[0062]タン紐案内８９及び弾性帯７５ａ及び７５ｂが方形化紐閉鎖システム９０への随意的な追加物としてこの場合も同じく破線で示されている。図１０Ａに示されている開放構成では、弾性帯７５ａ及び７５ｂは、紐閉鎖システムが締め付けられていないときでも靴の側面同士を引き寄せる或る程度の張力をシステム内に保持するやり方で固定ストラップ９２の腕部の下に配置されていることが示されている。図１０Ａにはタン紐案内８９も、上述の第１の好適な実施形態と同様のやり方で開示されており、靴のタン２２は引き締め紐後方横部分８２ｄの残留張力によって上に引き留められている。
【００４８】
[0063]次に、Ｙ字型引き締めストラップが２つの直線状引き締めストラップへ分離されていることを別にすれば図１０Ａに示されているものに似ている代わりの二連引き締めストラップ実施形態を提供している図１０Ｂを参照する。図１０Ｂに示されている実施形態は、靴の側面クォーターが別々になった上側バンプ区分と下側バンプ区分を含んでいる靴構造に関連して使用されるのに適しており、バンプ部分は別々の閉ループ紐構成要素又は部分組立体を通して固定されることができる。上側バンプ縁８７ａ及び８７ｂは、上側バンプ区分と下側バンプ区分の間の分割線を示している。この靴構成は米国特許第４，２００，９９８号に記載のものに似ている。上側バンプは、上側バンプ縁８７ａ及び８７ｂが下側バンプ区分の上を延びるように（図１０Ｂに示されている）、又は上側バンプ区分と下側バンプ区分が各個の縁にて一様に接することができるように、又は最後になったが、下側バンプ区分が上側バンプ部分の上を延びることができるように（図示せず）、構成されていてもよい。
【００４９】
[0064]この代わりの実施形態での２つの別々の方形化紐構成要素に適応するために、図１０Ａに示されている２つの靴中央二重プーリーは合計４つの単独プーリー８４ｅ−８４ｈで置き換えられている。このやり方では、２つの方形化紐構成要素は、互いとは完全に別れて機能することができ、各方形化紐構成要素の独立方式での締め付けを可能にさせる。前と同じく、図１０Ｂは、別々の閉ループ方形化紐部分組立体のそれぞれの辺部分に作用する二重横方向引手ストラップを有する本発明の方形化紐靴閉鎖システムの第５の好適な実施形態の代わりの構造の平面図である。図１０Ｂは、第５の好適な実施形態のためのこの代わりの構造を開放弛緩構成で示している。第５の好適な実施形態のこの代わりの構造内の配列の効果は、独立した固定ストラップへの所与の横方向引っ張りに対し方形化紐構成要素のそれぞれの引き締め長さを更に増倍化するというものである。
【００５０】
[0065]図１０Ｂに示されている二重方形化紐配列は、方形化紐閉鎖システム９１のための２つの別々の矩形配列を備えており、２つの別々の閉ループ紐８３ａ及び８３ｂは二重方形化紐アレイを形成しており、第１の方形化紐構成要素８３ａは上側バンプ区分上に矩形紐配列と同じ４つの辺で構成され、第２の方形化紐構成要素８３ｂは下側バンプ区分上に同じ矩形配列で構成されている。図１０Ａに示されている配列と同じく、第５の好適な実施形態に対するこの代わりの構造は、２つの別々の方形化紐を提供しており、紐アレイの機能は、靴の側面同士を引き寄せる働きをする方形紐構成要素の横要素を縮めるプロセスに関連して以上に説明されている機能と本質的に同じである。方形化紐構成要素の長手要素を横方向に引き締め斜めになった紐要素を形成させることによって、長手要素は伸ばされてゆき、それと相応して横要素は縮まる。
【００５１】
[0066]図１０Ｂに示されている固定ストラップ９４ａ及び９４ｂは、開口アレイ９５ａ及び９５ｂ並びにストラップクリップ９３ａ及び９３ｂを含んでいる。固定ストラップ９４ａ及び９４ｂは、代わりにストラップクリップ点９６ａ及び９６ｂへ固定されて引き締め紐部分上に随意的な接続点を提供するように構築されており、代わりにそこへストラップクリップ９３ａ及び９３ｂを固定すれば、（固定支柱組立体８８ａ及び８８ｄに代えて８８ｂ及び８８ｃを使用する）横方向引き締め方向の反転を達成することもできる。したがって、使用者が靴の外（靴の外側部）から内側面に向かって靴を横方向に横断して引き締めることができるように、又は使用者がプロセスを反転させて、ストラップを横方向に靴の内側面から外方（外側）へ方向決めすることができるように、靴の各側面に２つずつとして複数の固定支柱組立体８８ａ−８８ｄが配置されている。図１０Ｂに示されているストラップの１つの考えられる実施形は、一方の固定ストラップを一方の方向に引き締められるように配列し第２の固定ストラップを反対の方向に引き締められるように配列するというものである。固定ストラップの引き締め紐へのクリップ位置を変えることによって固定ストラップの方向を反転させることができることは、横方向引き締めの方向におけるこれらの変型を可能にさせる。
【００５２】
[0067]固定ストラップ９４ａ及び９４ｂの靴の側面への接続の方途は、図１０Ａと同じく、固定支柱組立体８８ａ−８８ｄの１つによって提供される。固定ストラップを接続するこの操作は、各固定ストラップを横方向引き締め紐の辺の対向部分の上を横断して引っ張ることによって開始され、それに関するやり方では、固定機構は以上に図７を参照しながら説明されているやり方と本質的に同じやり方で利用される。図１０Ｂにはタン紐案内８９も、上述の第１の好適な実施形態と同様のやり方で開示されており、靴のタン２２は引き締め紐８３ａの残留張力によって上に引き留められている。
【００５３】
[0068]次に、図１０Ａ及び図１０Ｂに示されている実施形態と同様ではあるが（単数又は複数の）横方向固定ストラップを、固定のために長手方向に向け直される単一ストラップで置き換えた引き締め紐配列を提供している図１１を参照する。図１１は、２つの別々の方形化紐部分組立体のそれぞれの横部分に作用する単一長手方向引手を有する本発明の方形化紐靴閉鎖システムの第６の好適な実施形態を提供している。図１１は、この第６の実施形態を開放弛緩構成で示している。第６の好適な実施形態の配列の効果は、単一固定ストラップへの所与の長手方向引っ張りに対し方形化紐構成要素の引き締め長さを更に増倍化するというものである。
【００５４】
[0069]図１０Ａ及び図１０Ｂと同じく、図１１に示されている方形化配列は、方形化紐閉鎖システム１００のための２つの別々の矩形配列を備えており、２つの別々の閉ループ紐は、引き締め紐第１長手部分１０２ａ、引き締め紐中央横部分１０２ｂ、引き締め紐第２長手部分１０２ｃ、及び引き締め紐後方横部分１０２ｄで構成される第１の上側の方形化紐構成要素を有する二重方形化紐アレイを形成している。第２の下側の引き締め紐構成要素は、引き締め紐第１長手部分１０６ａ、引き締め紐前方横部分１０６ｂ、引き締め紐第２長手部分１０６ｃ、及び引き締め紐中央横部分１０６ｄで構成されている。この第６の好適な実施形態は、上述の第５の好適な実施形態がそうであったように、２つの別々の閉ループ方形化紐を提供しているが、紐アレイの機能は、図１０Ａ及び図１０Ｂに示されている実施形態とは幾分相違している。上側及び下側の横方向紐部分は、引き続き、閉鎖プロセスで縮められることによって靴の側面同士を引き寄せるが、紐構成要素の中央横部分は長手方向に斜めに引き締められることになり、２つの靴中央二重プーリー１０４ｅ及び１０４ｆを一体に引っ張ると同時に方形化紐構成要素の長手部分を引っ張って上側及び下側の横部分を更に締め付け縮めさせるという効果がある。この配列は、ぴったりとしているがなおも心地よいなじみを提供するべくアッパーのアイアステイ区域同士を閉じるプロセスで方形化紐が一体に引き締められる更に別のやり方を提供している。
【００５５】
[0070]図１１に示されている固定ストラップ１０８は、ストラップ引手タブ１１２とストラップ止め金１１０を含んでいる。但し、この事例のストラップ固定点は、引き締め紐後方横部分１０２ｄ上に配置されている上側スライドカラー１１４にある。固定ストラップ１０８がスライドカラー１１４に接続し、スライドカラー１１４へ固定されるやり方は、以下に図１３を参照してより詳しく説明されている。
【００５６】
[0071]図１１に示されている第６の実施形態もやはり、それぞれが２つの方形化紐構成要素の一方と接続して配置されている残留張力弾性帯７５ａ及び７５ｂの使用から恩恵を受ける。但し、先のタン紐案内は、この第６の実施形態では、上側スライドカラー１１４の両側に配置される２つのタン紐案内１１５ａ及び１１５ｂへ分かれている。したがって紐案内１１５ａ及び１１５ｂは、タン２２の位置を引き締め紐組立体の下に維持する目的とスライドカラー１１４を紐上の中心位置に維持する機能の両方を果たす。
【００５７】
[0072]図１２は、本発明の方形化紐靴閉鎖システムの第７の好適な実施形態の平面図であり、最初に長手方向に靴を下って方向決めされた後に方向を逆転させて、二重閉ループ方形化紐配列内の複数の紐を一体に引き締めながら靴を上ってゆく単一長尺引手を達成する構造を示しており、システムは開放弛緩構成にあるところが示されている。この第７の好適な実施形態の基本構造は以上に図１１に関連付けて説明されている第６の好適な実施形態と極めて似ており、引き締め紐前方横部分１０６ｂ上の下側スライドカラー１２８の追加と、引き締め紐中央横部分１０２ｂ及び１０６ｄ上に反転した向きに位置決めされる長尺固定ストラップ１２０の使用を伴っている。図１２に示されている構成では、紐止め金１２２は、中央紐部分上の固定ストラップ１２０を、それが長手方向に靴のつま先に向かって下向きに延びて下側スライドカラー１２８の下をくぐりぬけてから下側スライドカラー１２８を周って向け直され、上向きに引っ張られて、図１１に示されているものの係合と同様のやり方で上側スライドカラー１１４に係合することを可能にさせるやり方で位置決めする。図１２に示されている紐システム１００を締め付け閉じるプロセスは、アッパーの側面同士をタンを横断して引っ張る全体的な力が増加するように横方向紐部分の引き締め長さを増加させる追加の方途である。示されている配列では、紐部分１０６ｄ、１０６ｂ、及び１０２ｂは一体に引き締められ、当該一群が紐部分１０２ｄ上の上側スライドカラー１１４との接続点まで引き上げられる。
【００５８】
[0073]最後に、第６の好適な実施形態及び第７の好適な実施形態それぞれのための引手ストラップ付着構造の詳細な部分断面図について図１３及び図１４を参照する。図１３は図１１に示されている引手ストラップ構造のための配列を示しており、それにより固定ストラップ１０８は引き締め紐中央横部分１０２ｂ及び１０６ｄへの接続点と引き締め紐後方横部分１０２ｄ上に配置されている上側スライディングカラー１１４での固定位置の間を延びている。固定ストラップ１０８上に配置されているストラップ止め金１１０は、示されている様に止め金及び付着されているストラップを引き締め紐中央横部分１０２ｂ及び１０６ｄへしっかりと但し取り外し可能に固定させられるように構成されている。
【００５９】
[0074]図１３の視点では、タン２２はタンの上に弛緩して配置されている弾性帯７５ａと共に示されている。ストラップ引手タブ１１２で終わっている固定ストラップ１０８は、上側スライドカラー１１４の円筒形構造周りに係合するサイズの複数のフック状チャネルを提供しているフックチャネルアレイ１１６を備えて構成されている。固定ストラップ１０８を上向き（長手方向）に引っ張ることによって、使用者はストラップをその場に固定するために上側スライドカラー１１４をフックチャネルアレイ１１６内のフックチャネルの１つの中へ選択的に位置決めすることができる。プロセス中、方形紐閉鎖システムは、上述のように靴へのぴったりしたなじみを達成するために一体に引き締められる。
【００６０】
[0075]図１４は、概して図１２に示されている第７の好適な実施形態の引手ストラップ付着構造の詳細な部分断面図を提供している。この実施形態では、長尺固定ストラップ１２０は、ストラップの端を引き締め紐中央横部分１０２ｂ及び１０６ｄへ、この実施形態でも同じく好ましくは下方から、固定する同様のストラップ止め金１２２を含んでいる。固定ストラップ１２０は、次いで、靴を下って引き締め紐前方横部分１０６ｂ上に配置されている下側スライドカラー１２８の周りに送り込まれた後に長手方向に靴の中心線を上方へ折り返し、引き締め紐後方横部分１０２ｄ上に配置されている上側スライドカラー１１４への付着点まで延びている。ストラップ引手タブ１２４で終端している固定ストラップ１２０の反対側の端は、上側スライドカラー１１４の円筒形構造の周りに係合するサイズの複数のフック状チャネルを提供しているフックチャネルアレイ１２６を備えて構成されている。ここでも同じく、固定ストラップ１２０を上向き（長手方向）に引っ張ることによって、使用者はストラップをその場に固定するために上側スライドカラー１１４をフックチャネルアレイ１２６内のフックチャネルの１つの中へ選択的に位置決めすることができる。図１４の視点では、タン２２は、それの上面の上に弛緩して配置されている弾性帯７５ａ及び７５ｂと共に示されている。図１４のブロック矢印は上述の様にぴったりしたなじみのために靴の側面の圧縮を達成するべく横紐部分のアレイ全体がストラップによって一体に引き締められるやり方を示している。
【００６１】
[0076]当業者には認識される様に、説明されている本発明の好適な実施形態は、概して、靴の内側面から又は内側面上で達成される単一の引っ張り動作に関して提示されているが、全てのその様な実施形態は、同じく容易に、靴の外側（外方）から又は外側（外方）で達成され得る。加えて、数々の実施形態は使用者が選択した引っ張り方向を可能にさせるものと説明されているが、実施形態のそれぞれはその様な使用者選択の機能性を備えて実施されてもよいし備えずに実施されてもよい。何れにしても、使用者選択性と鏡映しの固定組立体の場合に起こるであろう方形化紐構造の複雑性の相応する増加との間で釣り合いがとられる。
【００６２】
[0077]本発明の様々な実施形態は、平行で互いに反対側のアイステイの間に配置されているタンを組み入れている靴に関連付けて説明されているが、当業者には認識される様に、本発明は、靴のアッパー中心線にて重なり合う側面を有する靴構成の様な特定のタン構造を持たない靴へ実施されてもよいし、又は平行で互いに反対側のアイステイを持たない靴に実施されてもよいし、又は靴の前方開口部が足の頂部に中心合わせされていない靴に実施されてもよい。様々な実施形態の角又は辺上点構造が靴の互いに反対側の側面に配置されている限り、それらの間の靴構造は組立体の側面同士が引き寄せられる際に圧縮可能でありさえすればよい。当業者には、本発明の方形化紐単一引っ張り機能性の精神及び範囲の内になおも納まる方形化紐開及び閉ループ構造並びに角及び辺上点機構の具体的な配列の追加的な変型が想起されるだろう。
【符号の説明】
【００６３】
１０  靴閉鎖システム
１２  靴
１４  外側面
１６  内側面
１８  踵部
２０  つま先部
２２  タン部
２４  アンカーストラップ
２５ａ、２５ｂ  付着面
２６  後部ストラップバックル
２８  後部ストラップ引き戻し部
３０  引き締めストラップ長手部分
３２  斜めループバックル
３４  保持ストラップ
３５  弾性ストラップ
３６  引き締めストラップ横部分
３７  ストラップ長さ調節及び固定開口
３８  紐止め金
３９  フック部
４０  紐
４０  引き締め紐長手部分
４２  引き締め紐後方横部分
４４  引き締め紐前方横部分
４６ａ、４６ｂ  紐端支柱
４８ａ、４８ｂ  紐端アイレット
４９  タン紐案内
５０ａ、５０ｂ  プーリー
５４  靴ソール
６０  プーリーブロック
６１  プーリー車軸
６２  回転可能な円筒体
６３  陥凹部
７０ａ  角支柱
７１  リベット部
７２  支柱ピン
７３  支柱キャップ
７５、７５ａ、７５ｂ  弾性帯、弾性ストラップ
７６  グロメット
７７ａ  辺上点の開口
７９  紐クリンプコネクタ
８０  靴閉鎖システム
８１  固定ストラップ
８２ａ  引き締め紐第１長手部分
８２ｂ  引き締め紐前方横部分、引き締め紐中央横部分
８２ｃ  引き締め紐第２長手部分
８２ｄ  引き締め紐後方横部分
８３  ストラップ止め金
８４ａ、８４ｂ、８４ｃ、８４ｄ、８４ｅ、８４ｆ、８４ｇ、８４ｈ  プーリー
８５  開口アレイ
８６  紐ガード
８６ａ  引き締め紐第１長手部分
８６ｂ  引き締め紐前方横部分
８６ｃ  引き締め紐第２長手部分
８６ｄ  引き締め紐中央横部分
８７  引手タブ
８７ａ８７ｂ  上側バンプ縁
８８ａ、８８ｂ、８８ｃ、８８ｄ  固定支柱組立体
８９  タン紐案内
９０  方形化紐閉鎖システム
９１  リテンションブリッジ
９２  固定ストラップ
９３  アイステイ開口
９３ａ、９３ｂ、９３ｃ、９３ｄ  ストラップ止め金、ストラップクリップ
９４ａ、９４ｂ  Ｙ字型ストラップの腕部、固定ストラップ
９５、９５ａ、９５ｂ  開口アレイ
９６、９６ａ、９６ｂ  紐ガード、ストラップクリップ点
９７  引手タブ
１００  方形化紐閉鎖システム
１０２ａ  引き締め紐第１長手部分
１０２ｂ  引き締め紐中央横部分
１０２ｃ  引き締め紐第２長手部分
１０２ｄ  引き締め紐後方横部分
１０４ａ、１０４ｂ、１０４ｃ、１０４ｄ、１０４ｅ、１０４ｆ  プーリー
１０６ａ  引き締め紐第１長手部分
１０６ｂ  引き締め紐前方横部分
１０６ｃ  引き締め紐第２長手部分
１０６ｄ  引き締め紐中央横部分
１０８  固定ストラップ
１１０  トラップ止め金
１１２  ストラップ引手タブ
１１４  上側スライドカラー
１１５ａ、１１５ｂ  タン紐案内
１１６  フックチャネルアレイ
１２０  長尺固定ストラップ
１２２  紐止め金
１２４  ストラップ引手タブ
１２６  フックチャネルアレイ
１２８  下側スライドカラー
【図１】
2019528840.tif 000003
【図２】
2019528840.tif 000004
【図３】
2019528840.tif 000005
【図４Ａ】
2019528840.tif 000006
【図４Ｂ】
2019528840.tif 000007
【図５Ａ】
2019528840.tif 000008
【図５Ｂ】
2019528840.tif 000009
【図５Ｃ】
2019528840.tif 000010
【図６】
2019528840.tif 000011
【図７】
2019528840.tif 000012
【図８Ａ】
2019528840.tif 000013
【図８Ｂ】
2019528840.tif 000014
【図８Ｃ】
2019528840.tif 000015
【図９】
2019528840.tif 000016
【図１０Ａ】
2019528840.tif 000017
【図１０Ｂ】
2019528840.tif 000018
【図１１】
2019528840.tif 000019
【図１２】
2019528840.tif 000020
【図１３】
2019528840.tif 000021
【図１４】
2019528840.tif 000022
【国際調査報告】
2019528840.tif 000023